(57)【要約】【課題】簡単画面を容易にカスタマイズする。【解決手段】情報を表示するとともに利用者からの入力を受付ける操作表示部１０１と、操作表示部１０１に、設定項目の設定内容を設定可能な詳細画面と、詳細画面の設定項目のうち所定の設定項目の設定内容を設定可能に表示したガジェットを有する簡単画面とを操作表示部１０１に表示する表示制御部１０３と、操作表示部１０１に表示された詳細画面から所望の設定項目の選択を受付ける入力制御部１０２と、選択を受付けた設定項目のガジェットを簡単画面に登録する登録部１０８と、備えた。【選択図】図１
2010258863.tif 000002
【特許請求の範囲】
【請求項１】
情報を表示するとともに利用者からの入力を受付ける操作表示手段と、
前記操作表示手段に、設定項目の設定内容を設定可能な詳細画面と、前記詳細画面の設定項目のうち所定の設定項目の設定内容を設定可能に表示した機能選択情報を有する簡単画面とを前記操作表示手段に表示する表示制御手段と、
前記操作表示手段に表示された前記詳細画面から所望の設定項目の選択を受付ける入力制御手段と、
選択を受付けた設定項目の前記機能選択情報を前記簡単画面に登録する登録手段と、
を備えたことを特徴とする画像形成装置。
【請求項２】
前記表示制御手段は、前記入力制御手段によって前記所望の設定項目の選択を受付けた場合に、選択を受付けた設定項目の前記機能選択情報の候補を示す第１候補一覧を選択可能に前記操作表示手段に表示し、
前記入力制御手段は、前記第１候補から所望の前記機能選択情報の選択を受付け、
前記登録手段は、前記第１候補から選択を受付けた前記機能選択情報を前記簡単画面に登録することを特徴とする請求項１に記載の画像形成装置。
【請求項３】
前記入力制御手段は、前記詳細画面から所望の設定項目の選択を受付けた場合に、さらに、選択を受付けた設定項目の設定内容の入力を受付け、
前記登録手段は、選択を受付けた設定項目の前記機能選択情報に、入力を受付けた設定内容を反映して前記簡単画面に登録することを特徴とする請求項１または２に記載の画像形成装置。
【請求項４】
前記登録手段は、前記簡単画面にさらに前記機能選択情報を表示する領域がない場合、前記簡単画面に既に登録されている前記機能選択情報と置換して、前記選択を受付けた前記機能選択情報を登録することを特徴とする請求項１に記載の画像形成装置。
【請求項５】
前記簡単画面に表示可能な表示情報を、ネットワーク上で検索する検索手段をさらに備え、
前記表示制御手段は、検索された前記表示情報の候補を示す第２候補を選択可能に前記操作表示手段に表示し、
前記入力制御手段は、前記第２候補から所望の前記表示情報の選択を受付け、
前記登録手段は、前記第２候補から選択を受付けた前記表示情報を前記簡単画面に登録することを特徴とする請求項２に記載の画像形成装置。
【請求項６】
画像形成装置で実行される情報登録方法であって、
前記画像形成装置は、情報を表示するとともに利用者からの入力を受け付ける操作表示手段を備え、
表示制御手段が、前記操作表示手段に、設定項目の設定内容を設定可能な詳細画面と、前記詳細画面の設定項目のうち所定の設定項目の設定内容を設定可能に表示した機能選択情報を有する簡単画面とを表示するステップと、
入力制御手段が、前記操作表示手段に表示された前記詳細画面から所望の設定項目の選択を受付けるステップと、
登録手段が、選択を受付けた設定項目の前記機能選択情報を前記簡単画面に登録するステップと、
を含むことを特徴とする情報登録方法。
【請求項７】
コンピュータを、
情報を表示するとともに利用者からの入力を受け付ける操作表示手段と、
前記操作表示手段に、設定項目の設定内容を設定可能な詳細画面と、前記詳細画面の設定項目のうち所定の設定項目の設定内容を設定可能に表示した機能選択情報を有する簡単画面とを前記操作表示手段に表示する表示制御手段と、
前記操作表示手段に表示された前記詳細画面から所望の設定項目の選択を受付ける入力制御手段と、
選択を受付けた設定項目の前記機能選択情報を前記簡単画面に登録する登録手段と、
して機能させるためのプログラム。
【発明の詳細な説明】
【技術分野】
【０００１】
本発明は、画像形成装置、情報登録方法およびプログラムに関する。
【背景技術】
【０００２】
従来から、複写機、プリンタ装置、スキャナ装置、ファクシミリ装置、複合機などの画像形成装置において、利用者は、初期設定や画像形成処理に関する設定をオペレーションパネル等の操作表示部から行っている。このような設定は、操作表示部に表示された設定可能な項目一覧から利用者が所望の設定項目を選択することにより行われる。
【０００３】
しかしながら、このような設定項目は多数存在し、また一つの設定項目を選択した場合でも、その設定項目についての下位項目を指定する必要があることが多いため、通常、一つの設定項目を選択した後、さらに選択された設定項目の下位項目の一覧表示画面から下位項目の選択を行う必要があり、利用者にとって設定項目の設定作業が繁雑となる。
【０００４】
このため、設定項目の一覧が詳細に表示される詳細画面から代表的な設定項目のみを表示し、かつその代表的な項目の省略時の設定内容をガジェットやアイコン等の機能選択情報として表示した簡単画面を操作表示部に表示して、利用者にこの簡単画面から所望の設定項目を選択させる技術が知られている。
【発明の概要】
【発明が解決しようとする課題】
【０００５】
しかしながら、このような簡単画面を用いた設定の手法では、簡単画面に表示される設定項目や設定内容が予め定まっているため、簡単画面が全ての利用者に適した設定となっているわけではなく、簡単画面を容易にカスタマイズできることが望まれている。
【０００６】
例えば、特許文献１には、Ｗｅｂページのレイアウトを作成する技術が開示されているが、この従来技術では、アイコン等のレイアウトを詳細に指定しなければならず、利用者に適した簡単画面のレイアウトを容易にカスタマイズすることはできない。
【０００７】
本発明は、上記に鑑みてなされたものであって、簡単画面を容易にカスタマイズすることができる画像形成装置、情報登録方法およびプログラムを提供することを目的とする。
【課題を解決するための手段】
【０００８】
上述した課題を解決し、目的を達成するために、本発明は、情報を表示するとともに利用者からの入力を受付ける操作表示手段と、前記操作表示手段に、設定項目の設定内容を設定可能な詳細画面と、前記詳細画面の設定項目のうち所定の設定項目の設定内容を設定可能に表示した機能選択情報を有する簡単画面とを前記操作表示手段に表示する表示制御手段と、前記操作表示手段に表示された前記詳細画面から所望の設定項目の選択を受付ける入力制御手段と、選択を受付けた設定項目の前記機能選択情報を前記簡単画面に登録する登録手段と、を備えたことを特徴とする画像形成装置である。
【０００９】
また、本発明は、画像形成装置で実行される情報登録方法であって、前記画像形成装置は、情報を表示するとともに利用者からの入力を受け付ける操作表示手段を備え、表示制御手段が、前記操作表示手段に、設定項目の設定内容を設定可能な詳細画面と、前記詳細画面の設定項目のうち所定の設定項目の設定内容を設定可能に表示した機能選択情報を有する簡単画面とを表示するステップと、入力制御手段が、前記操作表示手段に表示された前記詳細画面から所望の設定項目の選択を受付けるステップと、登録手段が、選択を受付けた設定項目の前記機能選択情報を前記簡単画面に登録するステップと、を含むことを特徴とする。
【００１０】
また、本発明は、コンピュータを、情報を表示するとともに利用者からの入力を受け付ける操作表示手段と、前記操作表示手段に、設定項目の設定内容を設定可能な詳細画面と、前記詳細画面の設定項目のうち所定の設定項目の設定内容を設定可能に表示した機能選択情報を有する簡単画面とを前記操作表示手段に表示する表示制御手段と、前記操作表示手段に表示された前記詳細画面から所望の設定項目の選択を受付ける入力制御手段と、選択を受付けた設定項目の前記機能選択情報を前記簡単画面に登録する登録手段として機能させるためのプログラムである。
【発明の効果】
【００１１】
本発明によれば、操作表示手段に、設定項目の設定内容を設定可能な詳細画面と、前記詳細画面の設定項目のうち所定の設定項目の設定内容を設定可能に表示した機能選択情報を有する簡易画面とを表示し、前記操作表示手段に表示された前記詳細画面から所望の設定項目の選択を受付け、選択を受付けた設定項目の機能選択情報を前記簡単画面に登録することで、簡単画面を容易にカスタマイズすることができるという効果を奏する。
【図面の簡単な説明】
【００１２】
【図１】図１は、実施の形態１にかかる複合機の構成を示すブロック図である。
【図２】図２は、コピー機能を利用する場合の簡単画面の一例を示す図である。
【図３】図３は、コピー機能を利用する場合の詳細画面の一例を示す図である。
【図４】図４は、設定画面の一例を示す図である。
【図５】図５は、ガジェット候補一覧の一例を示す図である。
【図６】図６は、選択されたガジェットが登録された簡単画面の一例を示す図である。
【図７】図７は、複合機におけるガジェット登録処理の流れを示すフローチャートである。
【図８】図８は、実施の形態２にかかる複合機の構成を示すブロック図である。
【図９】図９は、コピー機能を利用する場合の詳細画面の一例を示す図である。
【図１０】図１０は、検索ガジェット候補一覧の一例を示す図である。
【図１１】図１１は、置換ガジェット選択画面の一例を示す図である。
【図１２】図１２は、既に登録されているガジェットを新たに選択されたガジェットに置換した簡単画面を示す図である。
【図１３】図１３は、複合機におけるガジェット登録処理の流れを示すフローチャートである。
【図１４】図１４は、印刷倍率を設定する倍率項目のガジェットの他の一例を示す図である。
【図１５】図１５は、印刷倍率を設定する倍率項目のガジェットの他の一例を示す図である。
【図１６】図１６は、実施の形態１、２にかかる複合機のハードウェア構成を示すブロック図である。
【発明を実施するための形態】
【００１３】
以下に添付図面を参照して、この発明にかかる画像形成装置、情報登録方法およびプログラムの最良な実施の形態を詳細に説明する。また、以下の実施の形態においては、本発明における画像形成装置をコピー、ファックス、プリンタなどの複数の機能のうち少なくとも２つの機能を一つの筐体に収納した複合機（ＭＦＰ：Multi  Function  Peripherals）等に適用した例を示すが、これに限定されることなく、複写機、ファクシミリ装置、スキャナ装置などに本発明を適用することができる。
【００１４】
（実施の形態１）
図１は、実施の形態１にかかる複合機の構成を示すブロック図である。図１に示すように、複合機１００は、操作表示部１０１が接続されており、ＨＤＤ（Hard  Disk  Drive）１０４と、表示制御部１０３と、入力制御部１０２と、登録部１０８と、画像処理部１０５と、プリンタエンジン１０６と、スキャナエンジン１０７とを主に備えている。
【００１５】
操作表示部１０１は、各種画面などの情報を表示するとともに、表示された画面から、利用者からのタッチ操作による各種入力を受付けるものであり、例えば液晶タッチパネルなどである。
【００１６】
ＨＤＤ１０４は、操作表示部１０１に表示される各種画面を記憶する記憶媒体である。各種画面としては、例えば詳細画面や簡単画面がある。詳細画面とは、複合機１００において実行される処理に対する設定項目の設定内容を詳細に設定可能な画面である。また、簡単画面とは、詳細画面の設定項目のうち所定の設定項目の設定内容を設定可能に表示したガジェットを有する画面であり、利用者によって利用される頻度が高い設定項目が設定可能な画面となっている。また、ＨＤＤ１０４は、簡単画面に表示されるガジェットを記憶している。
【００１７】
図２は、コピー機能を利用する場合の簡単画面の一例を示す図である。図２に示すように、簡単画面には、複数の設定項目のうち利用される頻度が高い設定項目のガジェットが表示されている。具体的には、図２では例えば、カラー印刷または白黒印刷を選択するカラー選択設定項目、用紙サイズを選択する用紙サイズ設定項目、印刷倍率を選択する倍率設定項目、片面または両面等の印刷面を選択する印刷面設定項目などが表示されている。そして、利用者から表示された設定項目の選択を受付けると、選択された設定項目に従って設定が行われる。また、画面下部には、簡単画面または詳細画面への切替を受付ける簡単画面ボタン、詳細画面ボタンが表示されており、図２では、簡単画面ボタンが選択されている。
【００１８】
図３は、コピー機能を利用する場合の詳細画面の一例を示す図である。図３に示すように、詳細画面には、複数の設定項目が表示されている。具体的には、図３では例えば、用紙サイズと給紙トレイを選択する給紙トレイ設定項目、カラー印刷または白黒印刷を選択するカラー選択設定項目、文字・写真などの原稿の種類を選択する原稿種類設定項目、印刷濃度を選択する濃度設定項目などが表示されている。そして、利用者から表示された設定項目の選択を受付けると、選択された設定項目の内容を設定する画面（設定画面）が表示され、選択された設定項目の設定内容の詳細な設定が行われる。また、簡単画面と同様に、画面下部には、簡単画面または詳細画面への切替を受付ける簡単画面ボタン、詳細画面ボタンが表示されており、図３では、詳細画面ボタンが選択されている。
【００１９】
表示制御部１０３は、操作表示部１０１に、上述した簡単画面または詳細画面を表示する制御を行う。また、表示制御部１０３は、後述する入力制御部１０２によって詳細画面から所望の設定項目の選択を受付けた場合に、選択を受付けた設定項目の設定を行う設定画面のポップアップを操作表示部１０１に表示する。図４は、設定画面の一例を示す図である。例えば、図３の詳細画面において濃度設定項目３０１が選択された場合、図４に示すように、印刷濃度が設定可能な設定画面のポップアップが表示される。そして、この設定画面から利用者の所望の印刷濃度の設定が入力される。また、この設定画面の左下部には、印刷濃度の設定項目を簡単画面に登録する旨を示す登録ボタン４０１が表示されている。
【００２０】
また、表示制御部１０３は、設定画面から入力制御部１０２によって所望の設定項目を簡単画面に登録する旨の指示を受付けた場合、所望の設定項目のガジェット候補を一覧で示したガジェット候補一覧を、いずれかのガジェットを選択可能に操作表示部１０１に表示する。図５は、ガジェット候補一覧の一例を示す図である。例えば、図４の設定画面において登録ボタン４０１が押下された場合、図５に示すように、ガジェット候補一覧には、簡単画面に表示される際の印刷濃度のガジェット候補の一覧が表示される。そして、ガジェット候補一覧の右側には、選択されたガジェットを簡単画面に登録する旨の登録ボタンが表示されている。
【００２１】
また、表示制御部１０３は、ガジェット候補一覧から入力制御部１０２によって所望の設定項目のガジェットの選択を受付けた場合、後述する登録部１０８によってガジェットが登録された簡単画面を操作表示部１０１に表示する。図６は、選択されたガジェットが登録された簡単画面の一例を示す図である。例えば図５において下部のガジェットを選択して、登録ボタン５０１が押下された場合、図６に示すように、印刷濃度のガジェット６０１を含む簡単画面が操作表示部１０１に表示される。このように所望の設定項目を登録した簡単画面を表示することで、利用者が簡単画面から所望の設定項目の設定を行うことが可能となる。
【００２２】
入力制御部１０２は、操作表示部１０１に表示された簡単画面または詳細画面から所望の設定項目の選択を受付けるものである。また、入力制御部１０２は、詳細画面から選択を受付けた所望の設定項目の設定画面が操作表示部１０１に表示された場合、その設定画面から利用者の所望の設定項目の設定内容の入力を受付ける。例えば、図４では、所望の印刷濃度を受付ける。また、入力制御部１０２は、設定画面から、設定項目を簡単画面に登録する旨の指示を受付ける。例えば、図４では、印刷濃度の設定項目を簡単画面に登録する旨を示す登録ボタン４０１の押下を受付ける。
【００２３】
また、入力制御部１０２は、設定画面において設定項目を簡単画面に登録する旨の指示を受付け、ガジェット候補一覧が操作表示部１０１に表示された場合、ガジェット候補一覧から所望の設定項目のガジェットの選択を受付ける。
【００２４】
登録部１０８は、入力制御部１０２により選択を受付けた設定項目のガジェットに、設定画面において入力を受付けた設定内容を反映して簡単画面に登録するものである。また、登録部１０８は、簡単画面において、さらにガジェットを表示（登録）するための空領域がない場合、表示制御部１０１により置換ガジェット選択画面を表示して、当該画面から選択されたガジェットと置換して、ガジェット候補一覧から選択を受付けたガジェットを登録する。
【００２５】
画像処理部１０５は、画像メモリ（不図示）に一時的に保存された画像から、印刷用の画像データを生成する処理等を行うものである。プリンタエンジン１０６は、画像処理部１０５で生成された画像データを、用紙に印刷するものである。また、スキャナエンジン１０７は、載置された原稿の画像を読み取るものである。
【００２６】
次に、以上のように構成された複合機１００において、選択を受付けた設定項目のガジェットを登録する場合の処理について説明する。図７は、複合機におけるガジェット登録処理の流れを示すフローチャートである。なお、以下では、図４の設定画面、図５のガジェット候補一覧による処理の一例である。
【００２７】
まず、ガジェットを登録する場合、表示制御部１０３は、操作表示部１０１に詳細画面の表示をする（ステップＳ１１）。表示制御部１０３は、詳細画面から入力制御部１０２により設定項目の選択を受付けたか否かを判断し（ステップＳ１２）、設定項目の選択を受付けていない場合（ステップＳ１２：Ｎｏ）、受付けるまで待機する。
【００２８】
一方、設定項目の選択を受付けた場合（ステップＳ１２：Ｙｅｓ）、表示制御部１０３は、選択を受付けた設定項目の設定画面のポップアップを表示する（ステップＳ１３）。そして、入力制御部１０２は、設定画面から設定項目の設定内容の入力を受付ける（ステップＳ１４）。次に、表示制御部１０３は、入力制御部１０２により、設定画面から選択を受付けた設定項目を簡単画面に登録する旨の登録ボタンが押下されたか否かを判断する（ステップＳ１５）。登録ボタンが押下されていない場合（ステップＳ１５：Ｎｏ）、押下されるまで待機する。
【００２９】
一方、登録ボタンが押下された場合（ステップＳ１５：Ｙｅｓ）、表示制御部１０３は、選択を受付けた設定項目のガジェット候補一覧を表示する（ステップＳ１６）。そして、表示制御部１０３は、ガジェット候補一覧から所望のガジェットの選択を受付けたか否かを判断する（ステップＳ１７）。ガジェットの選択を受付けていない場合（ステップＳ１７：Ｎｏ）、受付けるまで待機する。
【００３０】
一方、ガジェットの選択を受付けた場合（ステップＳ１７：Ｙｅｓ）、登録部１０８は、簡単画面に選択を受付けたガジェットを登録する空領域があるか否かを判断する（ステップＳ１８）。空領域がない場合（ステップＳ１８：Ｎｏ）、表示制御部１０３は、置換ガジェット選択画面（後述する図１１参照）を表示する（ステップＳ１９）。そして、表示制御部１０３は、置換ガジェット選択画面から置換されるガジェットの選択を受付けたか否かを判断する（ステップＳ２９）。置換されるガジェットの選択を受付けていない場合（ステップＳ２０：Ｎｏ）、受付けるまで待機する。
【００３１】
一方、置換されるガジェットの選択を受付けた場合（ステップＳ２０：Ｙｅｓ）、登録部１０８は、置換ガジェット選択画面から選択されたガジェットを、検索ガジェット候補一覧から選択を受付けたガジェットに置換して簡単画面に登録する（ステップＳ２１）。また、ステップＳ１８において空領域があった場合（ステップＳ１８：Ｙｅｓ）、登録部１０８は、検索ガジェット候補一覧から選択を受付けたガジェットを簡単画面に登録する（ステップＳ２１）。ここで、簡単画面へのガジェットの登録の際、登録部１０８は、選択されたガジェットに設定画面において入力を受付けた設定内容を反映して簡単画面に登録する。
【００３２】
そして、表示制御部１０３が登録されたガジェットを含む簡単画面を表示する。なお、図２に示す簡単画面の例では、ガジェットを登録するための空領域があるため、置換ガジェット選択画面は表示されず、ガジェットも置換されずに、簡単画面の空領域に、選択されたガジェットが登録される。
【００３３】
このように、実施の形態１の複合機１００は、操作表示部１０１に表示された詳細画面から所望の設定項目の選択を受付け、選択を受付けた設定項目のガジェットを簡単画面に登録することで、簡単画面を容易にカスタマイズすることができる。また、実施の形態１の複合機１００では、詳細画面から利用者による押下操作によって詳細画面の所定の設定項目のガジェットを簡単画面に登録することができるので、本実施の形態のように操作表示部１０１が液晶タッチパネルの場合でも、タッチ操作のみで簡単画面へのガジェット登録を容易に行うことができる。
【００３４】
（実施の形態２）
実施の形態１の複合機１００は、設定項目のガジェットを複合機の記憶部（ＨＤＤ）に格納し、利用者により所望の設定項目が選択された場合は複合機に格納されたガジェットを利用してガジェット候補一覧を表示していた。これに対し、実施の形態２では、実施の形態１の機能に加えて、ガジェットをネットワーク上から検索して、ガジェット候補一覧を表示するものである。
【００３５】
図８は、実施の形態２にかかる複合機の構成を示すブロック図である。図８に示すように、複合機８００は、操作表示部１０１が接続されており、ＨＤＤ８０４と、表示制御部８０３と、入力制御部８０２と、登録部８０８と、検索部８０５と、画像処理部１０５と、プリンタエンジン１０６と、スキャナエンジン１０７とを主に備えている。ここで、操作表示部１０１と、画像処理部１０５と、プリンタエンジン１０６と、スキャナエンジン１０７の構成および機能は、実施の形態１と同様であるため説明を省略する。
【００３６】
ＨＤＤ８０４は、詳細画面や簡単画面などの各種画面、および簡単画面に表示されるガジェットを記憶する記憶媒体である。簡単画面については実施の形態１と同様である（図２参照）。本実施の形態の詳細画面には、実施の形態１の詳細画面に加えて、ガジェットをネットワーク上から検索する旨のボタンが表示されている。図９は、コピー機能を利用する場合の詳細画面の一例を示す図である。図９に示すように、本実施の形態の詳細画面は、図３の詳細画面を下にスクロールした場合、ガジェットをネットワーク上から検索する旨の「ネットワークから探す」ボタン９０１が表示されている。
【００３７】
検索部８０５は、ＨＤＤ８０４に記憶されているガジェットと異なるガジェットをネットワークから検索する旨の指示を受け付けた場合に、簡単画面に表示可能なガジェットをネットワーク上で検索して取得するものである。例えば、図９では、「ネットワークから探す」ボタン９０１が押下された場合に、ガジェットをネットワーク上から検索する。
【００３８】
表示制御部８０３は、操作表示部１０１に簡単画面または詳細画面を表示する制御を行う。また、表示制御部８０３は、後述する入力制御部８０２によって詳細画面から所望の設定項目の選択を受付けた場合に、選択を受付けた設定項目の設定を行う設定画面のポップアップを操作表示部１０１に表示する。また、表示制御部８０３は、設定画面から入力制御部８０２によって所望の設定項目を簡単画面に登録する旨の指示を受付けた場合、所望の設定項目のガジェットの候補の一覧であるガジェット候補一覧を、いずれかのガジェットを選択可能に操作表示部１０１に表示する。また、表示制御部８０３は、ガジェット候補一覧から入力制御部８０２によって所望の設定項目のガジェットの選択を受付けた場合、後述する登録部８０８によってガジェットが登録された簡単画面を操作表示部１０１に表示する。
【００３９】
また、表示制御部８０３は、入力制御部８０２によってガジェットをネットワークから検索する旨の指示を受付けた場合に、検索部８０５により検索して取得されたガジェットの候補の一覧である検索ガジェット候補一覧を、いずれかのガジェットを選択可能に操作表示部１０１に表示する。図１０は、検索ガジェット候補一覧の一例を示す図である。例えば、図９の設定画面において「ネットワークから探す」ボタン９０１が押下された場合、図１０に示すように、検索ガジェット候補一覧には、検索されたガジェットの一覧が表示される。具体的には、図１０では例えば、節約状態を表示する「エコ表示」、現在の時刻を表示する「時計」のガジェットが表示されている。そして、検索ガジェット候補一覧の右側には、選択されたガジェットを簡単画面に登録する旨の登録ボタンが表示されている。
【００４０】
検索ガジェット候補一覧から入力制御部８０２によって所望のガジェットの選択を受付けた場合、表示制御部８０３は、後述する登録部８０８によってガジェットが登録された簡単画面を操作表示部１０１に表示する。検索されたガジェットを登録する際に、簡単画面において、さらにガジェットを表示するための空領域がない場合、簡単画面に既に登録されているガジェットと置換して新たに選択を受付けたガジェットを登録した簡単画面を操作表示部１０１に表示する。また、表示制御部８０３は、置換される既に登録されているガジェットを選択するための置換ガジェット選択画面を操作表示部１０１に表示する。
【００４１】
図１１は、置換ガジェット選択画面の一例を示す図である。図１２は、既に登録されているガジェットを新たに選択されたガジェットに置換した簡単画面を示す図である。ガジェットを表示するための空領域がない場合、図１１に示すような置換ガジェット選択画面を表示し、置換されるガジェット、例えば、濃度設定項目のガジェット１１０１の選択を受付ける。そして、濃度設定項目のガジェット１１０１を、検索ガジェット候補一覧（図１０参照）から選択されたエコ表示のガジェット１００１に置換して登録されることで、図１２に示すような簡単画面を操作表示部１０１に表示する。
【００４２】
入力制御部８０２は、操作表示部１０１に表示された簡単画面または詳細画面から所望の設定項目の選択を受付けるものである。また、入力制御部８０２は、詳細画面から選択を受付けた所望の設定項目の設定画面が操作表示部１０１に表示された場合、その設定画面から利用者の所望の設定項目の設定内容の入力を受付ける。また、入力制御部８０２は、設定画面から、設定項目を簡単画面に登録する旨の指示を受付ける。また、入力制御部８０２は、詳細画面から、ガジェットをネットワークから検索する旨の指示を受付ける。例えば、図９の設定画面では、「ネットワークから探す」ボタン９０１の押下を受付ける。
【００４３】
また、入力制御部８０２は、設定画面において設定項目を簡単画面に登録する旨の指示を受付け、ガジェット候補一覧が操作表示部１０１に表示された場合、ガジェット候補一覧から所望の設定項目のガジェットの選択を受付ける。また、入力制御部８０２は、ネットワーク上から検索された検索ガジェット候補一覧が操作表示部１０１に表示された場合、検索ガジェット候補一覧から所望のガジェットの選択を受付ける。また、簡単画面において、さらにガジェットを表示するための空領域がない場合、置換ガジェット選択画面から、新たに選択されたガジェットと置換されるガジェットの選択を受付ける。
【００４４】
登録部８０８は、入力制御部８０２により選択を受付けた設定項目のガジェットに、設定画面において入力を受付けた設定内容を反映して簡単画面に登録するものである。また、登録部８０８は、検索ガジェット候補一覧から選択を受付けたガジェットを簡単画面に登録する。さらに、登録部８０８は、簡単画面において、さらにガジェットを表示するための空領域がない場合、入力制御部８０２により選択を受付けたガジェットと置換して、検索ガジェット候補一覧から選択を受付けたガジェットを登録する。
【００４５】
次に、以上のように構成された複合機８００において、ネットワーク上で検索されたガジェットを登録する場合の処理について説明する。図１３は、複合機におけるガジェット登録処理の流れを示すフローチャートである。なお、以下では、図９に詳細画面、図１０の検索ガジェット候補一覧、図１１の置換ガジェット選択画面による処理の一例である。
【００４６】
まず、ガジェットを登録する場合、表示制御部８０３は、操作表示部１０１に詳細画面の表示をする（ステップＳ３１）。検索部８０５は、詳細画面における「ネットワークから探す」ボタン９０１が押下されたか否かを判断する（ステップＳ３２）。該ボタン９０１が押下されていない場合（ステップＳ３２：Ｎｏ）、図７におけるステップＳ１２へ進む。
【００４７】
一方、「ネットワークから探す」ボタン９０１が押下された場合（ステップＳ３２：Ｙｅｓ）、検索部８０５は、ネットワーク上のガジェットを検索し、検索したガジェットを取得する（ステップＳ３３）。表示制御部８０３は、検索部８０５が検索したガジェットの検索ガジェット候補一覧を表示する（ステップＳ３４）。そして、表示制御部８０３は、検索ガジェット候補一覧からガジェットの選択を受付けたか否かを判断する（ステップＳ３５）。ガジェットの選択を受付けていない場合（ステップＳ３５：Ｎｏ）、受付けるまで待機する。
【００４８】
一方、ガジェットの選択を受付けた場合（ステップＳ３５：Ｙｅｓ）、登録部８０８は、簡単画面に選択を受付けたガジェットを登録する空領域があるか否かを判断する（ステップＳ３６）。空領域がない場合（ステップＳ３６：Ｎｏ）、表示制御部８０３は、置換ガジェット選択画面を表示する（ステップＳ３７）。そして、表示制御部８０３は、置換ガジェット選択画面から置換されるガジェットの選択を受付けたか否かを判断する（ステップＳ３８）。置換されるガジェットの選択を受付けていない場合（ステップＳ３８：Ｎｏ）、受付けるまで待機する。
【００４９】
一方、置換されるガジェットの選択を受付けた場合（ステップＳ３８：Ｙｅｓ）、登録部８０８は、置換ガジェット選択画面から選択されたガジェットを、検索ガジェット候補一覧から選択を受付けたガジェットに置換して簡単画面に登録する（ステップＳ３９）。また、ステップＳ３６において空領域があった場合（ステップＳ３６：Ｙｅｓ）、登録部８０８は、検索ガジェット候補一覧から選択を受付けたガジェットを簡単画面に登録する（ステップＳ３９）。そして、表示制御部８０３が登録されたガジェットを含む簡単画面を表示する。
【００５０】
このように、実施の形態２の複合機８００は、操作表示部１０１に表示された詳細画面からガジェットをネットワーク上から検索する旨を受付け、検索されたガジェットを簡単画面に登録することで、簡単画面を容易にカスタマイズすることができる。また、実施の形態２の複合機８００では、利用者による押下操作によってネットワーク上から検索されたガジェットを簡単画面に登録することができるので、本実施の形態のように操作表示部１０１が液晶タッチパネルの場合でも、タッチ操作のみで簡単画面へのガジェット登録を容易に行うことができる。また、複合機８００は、簡単画面に検索されたガジェットを登録する空領域がなかった場合、すでに登録されているガジェットと置換して検索されたガジェットを登録することで、所望のガジェットを登録することができる。
【００５１】
なお、実施の形態２では、詳細画面から選択を受付けた設定項目のガジェットとは異なるガジェットをネットワーク上で検索して簡単画面に登録しているが、詳細画面から選択を受付けた設定項目のガジェットをネットワーク上で検索して簡単画面に登録する構成としてもよい。
【００５２】
また、実施の形態２では、簡単画面に検索されたガジェットを登録する空領域がなかった場合、すでに登録されているガジェットと置換して検索されたガジェットを登録しているが、実施の形態１においても同様に適用可能である。すなわち、選択された設定項目のガジェットを登録する空領域がなかった場合、すでに登録されているガジェットと置換して選択された設定項目のガジェットを登録できる。
【００５３】
なお、上記実施の形態１、２では、機能選択項目としてガジェットを用いた例を挙げて説明したが、これに限定されるものではない。例えば、機能設定項目として、アイコン、ウィジェットなど各種シンボルの表示情報を用いることができる。また、上記実施の形態１、２では、操作表示部１０１として液晶タッチパネルの例をあげて説明したが、これに限定されるものではなく、あらゆる入力表示方式の操作表示部に本発明を適用することが可能である。
【００５４】
（実施の形態１、２の変形例）
実施の形態１、２では、簡単画面において、印刷倍率を選択する倍率設定を１００％に設定された設定項目のガジェットが表示されているが（図２、６、１２等参照）、数種類の倍率候補から印刷倍率を選択して設定する構成としてもよい。図１４は、印刷倍率を設定する倍率項目のガジェットの他の一例を示す図である。図１４の倍率項目のガジェットは、複数の印刷変倍率「１００％」「７５％」「１２５％」「１５０％」の設定ボタンを備えており、利用者からのいずれかの変倍率の設定ボタンが押下された場合、押下された印刷倍率を設定する。また、図１５は、印刷倍率を設定する倍率項目のガジェットの他の一例を示す図である。図１５の倍率項目のガジェットは、所望の倍率を入力する領域が表示され、利用者から所望の印刷倍率の入力を受付けた場合、受付けた印刷倍率を設定する。
【００５５】
このように設定項目の設定が可能なガジェットを簡単画面に表示することで、簡単画面においても所望の設定を行うことができる。
【００５６】
図１６は、実施の形態１、２にかかる複合機のハードウェア構成を示すブロック図である。本図に示すように、この複合機１００、８００は、コントローラ１０とエンジン部（Engine）６０とをＰＣＩ（Peripheral  Component  Interface）バスで接続した構成となる。コントローラ１０は、この複合機１００、８００全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００５７】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application  Specific  Integrated  Circuit）１６と、ＨＤＤ１０４とを有し、ノースブリッジ（ＮＢ）１３とＡＳＩＣ１６との間をＡＧＰ（Accelerated  Graphics  Port）バス１５で接続した構成となる。また、ＭＥＭ−Ｐ１２は、ＲＯＭ（Read  Only  Memory）１２ａと、ＲＡＭ（Random  Access  Memory)１２ｂと、をさらに有する。
【００５８】
ＣＰＵ１１は、この複合機１００、８００の全体制御をおこなうものであり、ＮＢ１３、ＭＥＭ−Ｐ１２およびＳＢ１４からなるチップセットを有し、このチップセットを介して他の機器と接続される。
【００５９】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【００６０】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００６１】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００６２】
ＡＳＩＣ１６は、画像処理用のハードウェア要素を有する画像処理用途向けのＩＣ（Ｉｎｔｅｇｒａｔｅｄ  Ｃｉｒｃｕｉｔ）であり、ＡＧＰ１５、ＰＣＩバス、ＨＤＤ１０４およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct  Memory  Access  controller）と、エンジン部６０との間でＰＣＩバスを介したデータ転送をおこなうＰＣＩユニットとからなる。このＡＳＩＣ１６には、ＰＣＩバスを介してＦＣＵ（Facsimile  Control  Unit）３０、ＵＳＢ（Universal  Serial  Bus）４０、ＩＥＥＥ１３９４（the  Institute  of  Electrical  and  Electronics  engineers  1394）インターフェース５０が接続される。操作表示部１０１はＡＳＩＣ１６に直接接続されている。
【００６３】
ＭＥＭ−Ｃ１７は、コピー用画像バッファ、符号バッファとして用いるローカルメモリであり、ＨＤＤ１０４は、画像データの蓄積、プログラムの蓄積、フォントデータの蓄積、フォームの蓄積を行うためのストレージである。
【００６４】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【００６５】
なお、複合機１００、８００で実行される情報登録プログラムは、ＲＯＭ等に予め組み込まれて提供される。
【００６６】
複合機１００、８００で実行される情報登録プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６７】
さらに、複合機１００、８００で実行される情報登録プログラムを、インターネット等のネットワークに接続されたコンピュータ上に格納し、ネットワーク経由でダウンロードさせることにより提供するように構成しても良い。また、複合機１００、８００で実行される情報登録プログラムをインターネット等のネットワーク経由で提供または配布するように構成しても良い。
【００６８】
複合機１００、８００で実行される情報登録プログラムは、上述した各部（入力制御部１０２，８０２、表示制御部１０３、８０３、登録部１０８、８０８、画像処理部１０５、プリンタエンジン１０６、スキャナエンジン１０７、検索部８０５）を含むモジュール構成となっており、実際のハードウェアとしてはＣＰＵ（プロセッサ）が上記ＲＯＭから情報登録プログラムを読み出して実行することにより上記各部が主記憶装置上にロードされ、入力制御部１０２，８０２、表示制御部１０３、８０３、登録部１０８、８０８、画像処理部１０５、プリンタエンジン１０６、スキャナエンジン１０７、検索部８０５が主記憶装置上に生成されるようになっている。
【符号の説明】
【００６９】
１００、８００  複合機
１０１  操作表示部
１０２、８０２  入力制御部
１０３、８０３  表示制御部
１０５  画像処理部
１０６  プリンタエンジン
１０７  スキャナエンジン
１０８、８０８  登録部
８０５  検索部
【先行技術文献】
【特許文献】
【００７０】
【特許文献１】特開２００６−７２７５０号公報
【図１】
2010258863.tif 000003
【図２】
2010258863.tif 000004
【図３】
2010258863.tif 000005
【図４】
2010258863.tif 000006
【図５】
2010258863.tif 000007
【図６】
2010258863.tif 000008
【図７】
2010258863.tif 000009
【図８】
2010258863.tif 000010
【図９】
2010258863.tif 000011
【図１０】
2010258863.tif 000012
【図１１】
2010258863.tif 000013
【図１２】
2010258863.tif 000014
【図１３】
2010258863.tif 000015
【図１４】
2010258863.tif 000016
【図１５】
2010258863.tif 000017
【図１６】
2010258863.tif 000018